(57)【要約】【課題】煮こぼれカバーを本体ケースにネジ固定することなく、煮こぼれカバーを本体ケースに確実に固定することができる加熱調理器を提供する。【解決手段】加熱調理器は、本体ケース１内にバーナー台８と煮こぼれカバー７を備える。煮こぼれカバー７は、板状のカバー体７１と、カバー体７１から延長される連結体７２を含む。連結体７２が、本体ケース１に設けられた載置面１５０とバーナー台８の間で上下に挟み込まれることによって、煮こぼれカバー７は本体ケース１に対して所定姿勢で固定される。【選択図】図５
2018105545.tif 000002
【特許請求の範囲】
【請求項１】
上面に開口を有する本体ケースと、
前記開口を覆う天板と、
上方に露出するように前記天板に配置されたバーナーヘッドを有するバーナーと、
前記バーナーを支持するように前記本体ケースに設置されたバーナー台と、
前記本体ケースに設置された煮こぼれカバーを備え、
前記煮こぼれカバーは、
板状のカバー体と、前記カバー体の一端縁から延長される連結体を含み、前記連結体が、前記本体ケースに設けられた載置面と前記バーナー台の間で上下に挟み込まれることで、前記本体ケースに所定姿勢で固定される
ことを特徴とする加熱調理器。
【請求項２】
前記煮こぼれカバーは、
引掛片をさらに含み、前記引掛片が前記本体ケースに引っ掛かることで、前記本体ケースに対して前記所定姿勢で保持される
ことを特徴とする請求項１に記載の加熱調理器。
【請求項３】
前記連結体の一部は、上方または下方にむけて押し出された突出部で構成されている
ことを特徴とする請求項１または２に記載の加熱調理器。
【請求項４】
前記突出部は、水平方向に距離をあけて複数に分断されている
ことを特徴とする請求項３に記載の加熱調理器。
【発明の詳細な説明】
【技術分野】
【０００１】
本発明は、天板にバーナーヘッドが設置された加熱調理器に関する。
【背景技術】
【０００２】
天板にバーナーヘッドが設置された加熱調理器において、天板の下方に収納された各種の機器に煮こぼれが掛かることを抑えるために、煮こぼれカバーを設けることが従来提案されている（特許文献１等参照）。
【先行技術文献】
【特許文献】
【０００３】
【特許文献１】特許３７９８５３７号公報
【発明の概要】
【発明が解決しようとする課題】
【０００４】
従来の加熱調理器では、煮こぼれカバーを本体ケースに固定するために、煮こぼれカバーをネジ固定する構造を採用することが一般的である。しかし、このような構造では、ネジが収まるスペースが必要であって構造のコンパクト化が困難であるという問題や、ネジ締め作業が必要であって組立作業の簡素化が困難であるという問題がある。
【０００５】
本発明は、煮こぼれカバーを本体ケースにネジ固定することなく、煮こぼれカバーを本体ケースに確実に固定することができる加熱調理器を提供することを、目的とする。
【課題を解決するための手段】
【０００６】
本発明の一様態に係る加熱調理器は、上面に開口を有する本体ケースと、前記開口を覆う天板と、上方に露出するように前記天板に配置されたバーナーヘッドを有するバーナーと、前記バーナーを支持するように前記本体ケースに設置されたバーナー台と、前記本体ケースに設置された煮こぼれカバーを備える。
【０００７】
前記煮こぼれカバーは、板状のカバー体と、前記カバー体の一端縁から延長される連結体を含み、前記連結体が、前記本体ケースに設けられた載置面と前記バーナー台の間で上下に挟み込まれることで、前記本体ケースに所定姿勢で固定される。
【発明の効果】
【０００８】
本発明は、煮こぼれカバーを本体ケースにネジ固定することなく、煮こぼれカバーを本体ケースに確実に固定することができるという効果を奏する。
【図面の簡単な説明】
【０００９】
【図１】図１は、一実施形態の加熱調理器が設置されたカウンターの斜視図である。
【図２】図２は、同上の加熱調理器の斜視図である。
【図３】図３は、同上の加熱調理器の本体ケース内に収納される主要機器を示す斜視図である。
【図４】図４は、同上の本体ケースの正面図である。
【図５】図５は、図４のＡ−Ａ線断面図である。
【図６】図６は、図３の状態からバーナーとバーナー台を外した状態の平面図である。
【図７】図７は、同上の本体ケースに取り付けられる煮こぼれカバーの斜視図である。
【図８】図８は、同上の煮こぼれカバーを取り付ける前の本体ケースの斜視図である。
【図９】図９は、同上の本体ケースに煮こぼれカバーを取り付ける第一工程の斜視図である。
【図１０】図１０は、同上の本体ケースに煮こぼれカバーを取り付ける第二工程の斜視図である。
【図１１】図１１は、図１０のＢ部を拡大して示す斜視図である。
【図１２】図１２は、同上の本体ケースに煮こぼれカバーを取り付ける第三工程の斜視図である。
【発明を実施するための形態】
【００１０】
（一実施形態）
添付図面に基づいて、一実施形態の加熱調理器について説明する。
【００１１】
図１に示すように、一実施形態の加熱調理器は、キッチン等に設置されるカウンター９に対して、上方からの挿入によって取り付けられる所謂ドロップインタイプの加熱調理器であるが、これに限定されず、他のタイプで構成されてもよい。
【００１２】
一実施形態の加熱調理器は、上面に開口１０（図３参照）を有する本体ケース１と、開口１０を覆うように本体ケース１に固定される天板２と、複数（三つ）のバーナー３と、本体ケース１の前方に設置される操作器４を備える。
【００１３】
図３等に示すように、本体ケース１は、平面視矩形状の外形を有する。キッチン等に設置された状態において、本体ケース１の長手方向が左右方向Ｄ１と一致し、本体ケース１の短手方向が前後方向Ｄ２と一致する。本文中の説明では、キッチン等に設置された状態を基準として前後左右の各方向を用いる。
【００１４】
各バーナー３は、燃焼が行われるバーナーヘッド３１と、バーナーヘッド３１に燃焼ガスを送り込むように構成されたバーナーボディー３２を有する。天板２に形成された貫通孔２０を通じて、各バーナー３のバーナーヘッド３１が上方に露出する。
【００１５】
本体ケース１内にはバーナー台８が水平姿勢で固定され、バーナー台８の上面にバーナー３が設置されている。一実施形態の加熱調理器では、大小二つのバーナー台８が固定され、大きい側のバーナー台８に二つのバーナー３が設置され、小さい側のバーナー台８に一つのバーナー３が設置されているが、バーナー台８とバーナー３の数と配置はこれに限定されない。図３では、三つのバーナー３のうち中央のバーナー３だけを示し、両端のバーナー３は省略している。
【００１６】
大小二つのバーナー台８のさらに下方には、図６等に示すように、各バーナー３の点火を制御するための電子回路を収納するボックス５と、ボックス５内の電子回路と操作器４を電気接続させるための中継器６と、中継器６の上方を覆う煮こぼれカバー７が位置する。
【００１７】
一実施形態の加熱調理器では、大きい側のバーナー台８の下方にボックス５が位置し、小さい側のバーナー台８の下方に中継器６と煮こぼれカバー７が位置するが、各構成の配置はこれに限定されず、少なくとも一つのバーナー台８の下方に中継器６および煮こぼれカバー７が位置すればよい。
【００１８】
中継器６は、取付板１５に固定された複数のコネクター６０で構成されている（図５，８，９等参照）。取付板１５は、本体ケース１が有する平面視矩形状の周壁１２の前側部分を構成する側壁１２１に対して、その内側に取り付けられる。側壁１２１には複数の開口１２５が設けられており、各開口１２５の略全体が取付板１５によって塞がれる。
【００１９】
各コネクター６０は、開口１２５を通じて本体ケース１の外側（前側）に露出する接続部６０１と、本体ケース１の内側に露出する接続部６０２を含む。各コネクター６０の外側の接続部６０１に対して、図示略のコネクターとハーネスを介して操作器４が電気的に接続される。また、各コネクター６０の内側の接続部６０２に対して、図示略のハーネスを介してボックス５内の電子回路が電気的に接続される。
【００２０】
煮こぼれカバー７は、取付板１５が設置された本体ケース１に対して、各コネクター６０の内側の接続部６０２とこれに接続されるハーネスを覆うように、所定姿勢で取付固定される。
【００２１】
図７に示すように、板金を用いて成形された煮こぼれカバー７は、煮汁を受ける主体部である矩形板状のカバー体７１と、カバー体７１の前後方向Ｄ２（前側）の一端縁７１５から段差を介して水平方向に延長された板状の連結体７２と、連結体７２の左右方向Ｄ１に互いに距離をあけた個所から上方に延長された二つの差込片７３と、カバー体７１から左右方向Ｄ１に延長された鉤状（Ｌ字状）の引掛片７４と、カバー体７１の一端縁７１５とは反対側（後側）の端縁７１７から下方に延長された垂下片７５と、カバー体７１の左右方向Ｄ１の両端縁から起立した一対のガイド片７６を含む。引掛片７４は、一方のガイド片７６の上縁の一部から延長されている。
【００２２】
図８等に示すように、取付板１５は矩形状の金属板である。取付板１５が本体ケース１の側壁１２１に固定された状態において、取付板１５の長手方向は左右方向Ｄ１に一致し、取付板１５の厚み方向は前後方向Ｄ２に一致する。
【００２３】
取付板１５の上端縁からは、フランジ部１５１がＬ字状に延長されている。フランジ部１５１は、左右方向Ｄ１に距離をあけて位置する複数のフランジ１５２で構成されている。各フランジ１５２は、本体ケース１の内側にむけて水平方向に延長されており、各フランジ１５２の上面が、左右方向Ｄ１に細長い平坦な載置面１５０を構成している。
【００２４】
複数（三つ）のフランジ１５２のうち左右方向Ｄ１の端に位置するフランジ１５２からは、本体ケース１の内側にむけて延長片１５３がさらに延長されている。取付板１５は、延長片１５３を介して本体ケース１にネジ固定される。延長片１５３には、引掛孔１５４が上下に貫通形成されている。
【００２５】
取付板１５が本体ケース１に固定された状態において、本体ケース１の各開口１２５の上縁と、取付板１５のフランジ部１５１の間には、前後方向Ｄ２に貫通したスリット１３が形成される。スリット１３は、左右方向Ｄ１に細長い開口形状を有し、後述するように、取付板１５を位置決めする際に用いられる。
【００２６】
図９〜図１２には、一実施形態の加熱調理器において、煮こぼれカバー７を取り付ける各工程を示している。
【００２７】
まず、図９に矢印で示すように、煮こぼれカバー７のカバー体７１を立てた姿勢で、煮こぼれカバー７が有する二つの差込片７３を、一対一で対応する二つのスリット１３に対して、本体ケース１の内側から水平方向に挿し込む。
【００２８】
次に、図１０に矢印で示すように、煮こぼれカバー７を、所定姿勢に至るまで本体ケース１の内側に向けて倒す。煮こぼれカバー７が所定姿勢に至ったとき、二つの差込片７３がそれぞれ本体ケース１の側壁１２１に対して外側から引っ掛かり、連結体７２が載置面１５０上に載置される（図５参照）。
【００２９】
加えて、煮こぼれカバー７が所定姿勢に至ったとき、取付板１５に設けられた引掛孔１５４に対して、引掛片７４が上方から挿入されて引っ掛かる。引掛片７４は、カバー体７１から水平方向に延長される第一片７４１と、第一片７４１の先端部から下方に延長される第二片７４２を含み、第一片７４１が延長片１５３の上面に載置され、第二片７４１が引掛孔１５４に挿入される（図１１参照）。
【００３０】
煮こぼれカバー７が所定姿勢にあるとき、カバー体７１は、前後方向Ｄ２において側壁１２１から離れた部分ほど下方に位置するように、下り傾斜した姿勢で保持される。カバー体７１のうち最も下に位置する端縁７１７から、垂下片７５が下方に延長されている。
【００３１】
次に、図１２に矢印で示すように、煮こぼれカバー７の上方を覆うようにバーナー台８を本体ケース１内に配置し、上方からのネジ締め作業により、バーナー台８を本体ケース１に固定する。
【００３２】
バーナー台８が固定された状態において、煮こぼれカバー７の連結体７２は、本体ケース１の一部を構成するように設置された取付板１５の載置面１５０と、バーナー台８の下面との間で、上下に挟持固定される（図５参照）。
【００３３】
ここで、一実施形態の加熱調理器では、板金製の連結体７２にビード加工を施して上方に突出させることで、弾性を有する突出部７２１を設けている。弾性を有する突出部７２１により、本体ケース１側の載置面１５０とバーナー台８の下面との間のクリアランスがより確実に埋められ、煮こぼれカバー７の連結体７２は、ガタツキなく強固に挟持固定される。
【００３４】
また、一実施形態の加熱調理器では、突出部７２１が左右方向Ｄ１（水平方向）に距離をあけて三つに分割されている。このような突出部７２１の分割形態を選択することや、突出部７２１の突出量を調整することにより、連結体７２が挟持される強度は自在に調整される。
【００３５】
ここでは連結体７２の一部を上方に突出させて突出部７２１を形成しているが、たとえば連結体７２の一部を下方に突出させて突出部７２１を形成することや、連結体７２の一部を上方に突出させ且つ他部を下方に突出させて（つまり上方に突出部分と下方に突出部分の組み合わせで）突出部７２１を形成することも可能である。
【００３６】
一実施形態の加熱調理器は、上記構造の煮こぼれカバー７で中継器６やこれに電気接続されるハーネスの上方を覆うので、煮こぼれが生じたときに中継器６やハーネスに煮汁が掛かることが抑えられる。
【００３７】
加えて、本体ケース１にバーナー台８を固定する作業で、煮こぼれカバー７についても本体ケース１に固定することができるので、煮こぼれカバー７を取り付けるためだけにネジ締め作業を行う必要がなく、構造がコンパクト化されるとともに、組立作業も簡素化される。また、煮こぼれカバー７にネジ孔を設ける必要がないので、ネジ孔を通じて煮汁が浸入するおそれもなく、信頼性が高い。
【００３８】
なお、一実施形態の加熱調理器では、中継器６を覆うように煮こぼれカバー７を取り付けているが、これに限定されず、電子回路、ガス管等の他の部材を覆う形態で同様の煮こぼれカバー７を取り付けることも可能である。
【００３９】
（効果）
以上、添付図面に基づいて説明したように、一実施形態の加熱調理器は、第一の特徴として下記の構成を備える。
【００４０】
つまり、一実施形態の加熱調理器は、上面に開口１０を有する本体ケース１と、開口１０を覆う天板２と、上方に露出するように天板２に配置されたバーナーヘッド３１を有するバーナー３と、バーナー３を支持するように本体ケース１に設置されたバーナー台８と、本体ケース１に設置された煮こぼれカバー７を備える。
【００４１】
煮こぼれカバー７は、板状のカバー体７１と、カバー体７１の一端縁７１５から延長される連結体７２を含み、連結体７２が、本体ケース１に設けられた載置面１５０とバーナー台８の間で上下に挟み込まれることで、本体ケース１に所定姿勢で固定される。
【００４２】
したがって、一実施形態の加熱調理器によれば、煮こぼれカバー７を本体ケース１にネジ固定することなく、本体ケース１に対して煮こぼれカバー７を所定姿勢で強固に固定することができる。
【００４３】
また、一実施形態の加熱調理器は、第二の特徴として、下記の構成を付加的に備える。つまり、一実施形態の加熱調理器において、煮こぼれカバー７は引掛片７４をさらに含み、引掛片７４が本体ケース１に引っ掛かることで、本体ケース１に対して前記所定姿勢で保持される。
【００４４】
したがって、一実施形態の加熱調理器によれば、引掛片７４を利用して煮こぼれカバー７を所定姿勢で保持（仮固定）したうえで、バーナー台８と載置面１５０の間で連結体７２を確実に挟持固定することができる。
【００４５】
また、一実施形態の加熱調理器は、第三の特徴として、下記の構成を付加的に備える。つまり、一実施形態の加熱調理器において、連結体７２の一部は、上方または下方にむけて押し出された突出部７２１で構成されている。
【００４６】
一実施形態の加熱調理器では、連結体７２の一部が、押し出しによって高さが確保されかつ弾性が高められた突出部７２１で構成され、連結体７２がこの突出部７２１で上下に挟み込まれることにより、煮こぼれカバー７はガタツキなく強固に挟持固定される。
【００４７】
また、一実施形態の加熱調理器は、第四の特徴として、下記の構成を付加的に備える。つまり、一実施形態の加熱調理器において、突出部７２１は、水平方向に距離をあけて複数に分断されている。
【００４８】
したがって、一実施形態の加熱調理器によれば、突出部２１が長く形成されて弾性変形し難くなることを抑えながら、連結体７２において突出部７２１が設けられる範囲を確保することができる。
【００４９】
以上、加熱調理器について一実施形態に基づいて説明したが、加熱調理器は前記の形態に限定されず、適宜の設計変更を行うことや公知の技術を組み合わせることが可能である。
【符号の説明】
【００５０】
１  本体ケース
１０  開口
１５０  載置面
２  天板
３  バーナー
３１  バーナーヘッド
７  煮こぼれカバー
７１  カバー体
７１５  一端縁
７２  連結体
７２１  突出部
７４  引掛片
８  バーナー台
【図１】
2018105545.tif 000003
【図２】
2018105545.tif 000004
【図３】
2018105545.tif 000005
【図４】
2018105545.tif 000006
【図５】
2018105545.tif 000007
【図６】
2018105545.tif 000008
【図７】
2018105545.tif 000009
【図８】
2018105545.tif 000010
【図９】
2018105545.tif 000011
【図１０】
2018105545.tif 000012
【図１１】
2018105545.tif 000013
【図１２】
2018105545.tif 000014